(57)【要約】【課題】軸受内部の圧力変化を防止し、耐水性を向上させたシール部材を備えた密閉型転がり軸受を提供する。【解決手段】外輪１１と内輪１２の両外側面図１３Ａ、１３Ｂにはシール部材１４、１５が設けられている。シール部材１４は、外輪１１のシール溝１９にシール外径リップ２０が嵌合され、内輪１２のシール溝２１を形成する内側傾斜面２２にシール内径リップ２３が接触している。シール部材１５は、シール外径リップ２０がシール溝１９に取り付けられ、かつシール内径リップ２８が内輪１２のシール溝２１の外側傾斜面２４に接触している。【選択図】図１
2007146870.tif 000002
【特許請求の範囲】
【請求項１】
外輪と内輪との間の外側面にシール部材を備える転がり軸受において、
前記外側面の一側に内当たりシールリップを設けた第一のシール部材と、
前記外側面の他側に外当たりシールリップを設けた第二のシール部材と、
を備え、
前記転がり軸受の低トルク性及び耐水性を有することを特徴とする転がり軸受。
【請求項２】
筐体と、
前記筐体に回転自在に支持され駆動する駆動軸部材と、
前記駆動軸部材と協動する回転体と、
前記筐体に配設され前記回転体を回転自在に支持する転がり軸受と、
を備え、
前記転がり軸受は、第一のシール部材を液体が前記回転体に飛散、付着する側に設け、
第二のシール部材を液体が前記回転体に飛散、付着しない側に設けたことを特徴とする軸受装置。
【発明の詳細な説明】
【技術分野】
【０００１】
本発明は転がり軸受に関し、さらに詳細には自動車等のカーエアコン用ベルトプーリを回転自在に支持する密封形転がり軸受に関し、さらに詳細にはシール部材の改良に関する。
【背景技術】
【０００２】
従来、この種の密封形転がり軸受は軸受内部からのグリースの漏れ、外部からのダストの侵入に対し軸受の密閉性を向上させるために、該軸受の内輪及び外輪の両側面にはシール部材が取り付けられている。前記シール部材は密閉性を向上させるため、一般的には外輪のシール溝に装着されて内輪のシール溝で接触ゴムシールの内径リップは摺動接触している。
そこで、接触シール７は、例えばシール外径側（頭部）９が外輪１のシール溝２に装着されると共に、内輪３のシール溝４に内径側（シールリップ）１０が軸方向等から接触して摺動し、軸受内部からのグリース漏れ、外部からダストの侵入等に対し、シールリップ１０が内輪３の外径面との間に軸受の密封を図っている（例えば、特許文献１参照）。
さらに、軸受１０の両側には、外輪１１から延びて内輪１２にその先端が接触形シール部材１５が設けられ、該シール部材１５のゴム部１５ａの先端が内輪１２に設けられた溝１２ｂの外側壁に当接している（例えば、特許文献２参照）。
【特許文献１】特開２０００−６５０７４号公報
【特許文献２】特開２００２−１７４２５４号公報
【発明の開示】
【発明が解決しようとする課題】
【０００３】
しかしながら、特許文献１に記載されているシール部材は、外部からの液体の侵入防止効果、すなわち耐水性を向上させることができるがトルクが増大するという問題があった。
さらに、特許文献２に記載されているシール部材は、軸受内部からのグリースの漏れ防止及び低トルクに維持できるが、外部からの液体の浸入防止が低下するということがあった。
本発明は、前記の課題を解決するためになされたもので、従来のシール溝構造を変えることなく耐水性を向上させたシール部材を備えた転がり軸受及び軸受装置を提供することを目的とする。
【課題を解決するための手段】
【０００４】
前記の課題を解決するための請求項１記載の発明は、外輪と内輪との間の外側面にシール部材を備える転がり軸受において、
前記外側面の一側に内当たりシールリップを設けた第一のシール部材と、
前記外側面の他側に外当たりシールリップを設けた第二のシール部材と、
を備え、
前記転がり軸受の低トルク性及び耐水性を有することを特徴とする。
本発明によれば、低トルクを維持しながら軸受内部への液体の浸入を防止でき、転がり軸受の長期の寿命を確保でき、該転がり軸受が使用される機器の機械損失を抑えることができる。さらに、左右のシールは同一のシール溝形状で使用することができ、コストを低減することができ、保守管理が容易になる。
請求項２記載の発明は、筐体と、
前記筐体に回転自在に支持され駆動する駆動軸部材と、
前記駆動軸部材と協動する回転体と、
前記筐体に配設され前記回転体を回転自在に支持する転がり軸受と、
を備え、
前記転がり軸受は、第一のシール部材を液体が前記回転体に飛散、付着する側に設け、
第二のシール部材を液体が前記回転体に飛散、付着しない側に設けたことを特徴とする。
本発明によれば、液体が飛散、付着しやすい転がり軸受への耐水性を向上させることができ、該転がり軸受の長寿命を図ることができ、保守点検作業が容易になる。
【発明の効果】
【０００５】
本発明は、従来の低トルクを維持しながら軸受内部への液体の侵入を防止でき、転がり軸受の長期の寿命を確保でき、該転がり軸受が使用される機器の機械損失を抑えることができる。さらに、従来のシール溝形状を変えることなく使用可能できるので、保守点検作業が容易になる。
【発明を実施するための最良の形態】
【０００６】
本発明の実施の形態に係わる転がり軸受について図面により詳細に説明する。図１は本発明の実施の形態に係わる転がり軸受１０の概略構造を示す要部縦断面図である。図２及び図３はシール部材１４及び１５の要部縦断面図を示す。
図１において、外輪１１と内輪１２の両外側面図１３Ａ、１３Ｂにはシール部材１４、１５が設けられている。なお、図１中、参照符号１６は外輪１１及び内輪１２の軌道面（図示しない）に回転自在に設けられた転動体を示し、１７は保持器を示す。
【０００７】
シール部材（第一のシール部材）１４は、内部に芯金１８を挿入して形成されており、外輪１１のシール溝１９にシール外径リップ２０が嵌合され、内輪１２のシール溝２１を形成する内側斜側面２２にシール内径リップ２３が接触している。なお、シール溝２１は、内側傾斜面２２と外側傾斜面２４により形成されている。
前記シール内径リップ（内当たりシールリップ）２３は、内輪１２の外側面に延伸するシール副リップ２５が設けられおり、該シール副リップ２５と内輪１２の外径面との間にラビリンス２６が形成されている。これにより、シール部材１４は、シール外径リップ２０がシール溝１９に取り付けられ、かつシール内径リップ２３がシール溝２１の内側傾斜面２２に接触している。シール内径リップ２３が内側傾斜面２２に接触する先端部２５の形状は縦断面略二等辺三角形状に画成されている。
【０００８】
シール部材（第二のシール部材）１５は、図中、シール部材１４の構成要素と同一の構成要素については、同一符号を付して詳細な説明を省略する。内輪１２のシール溝２１を形成する外側斜側面２４にシール内径リップ（外当たりシールリップ）２８が接触している。
図１乃至図３は単列深溝玉軸受２９について説明したが、自明の多点接触玉軸受、複列アンギュラ玉軸受に勿論適用できる。
【０００９】
図４は単列深溝玉軸受２９を使用したカーエアコンコンプレッサー３０の要部概略構造図を示す。図４において、カーエアコンコンプレッサー本体３１に装着された軸受３２に回転可能に支持された駆動軸３３には、その軸端にプーリ取付板３４がねじ部材３５により固着されている。プーリ取付板３４にはカーエアコンコンプレッサー本体３１の突出部３６の外周部に配設され単列深溝玉軸受２９に回転自在に支持され、エンジン（図示しない）の出力軸で駆動するＶベルト（図示しない）により回転するプーリ３７が取り付けられている。よって、Ｖベルトの駆動により駆動軸３３が回転すると、プーリ取付板３４、単列深溝玉軸受２９を介してプーリ３７が協動する。
【００１０】
図４において液体（水または水溶液）の影響を受ける側、すなわち液体が単列深溝玉軸受２９に飛散または付着するプーリ３７の外方（図４において右方）側にシール部材１４を配設し、一方、液体が単列深溝玉軸受２９に飛散または付着しないプーリ３７の内方（図シール部材１５を配設する。これにより、カーエアコンコンプレッサー３０に使用する該単列深溝玉軸受２９の耐水性を向上させることができる。
【００１１】
以上説明したように、本発明の実施に係わる転がり軸受は、液体の影響を受ける側にシール内径リップをシール溝の内側傾斜面に接触する内当たりシール部材に、例えばシール部材１４を設けると転がり軸受の耐水性が向上する。液体の影響を受けない側にシール内径リップをシール溝の外側傾斜面に接触する外当たりシール部材に、例えばシール部材１５を設けることにより、低トルク化の効果を奏する。
【図面の簡単な説明】
【００１２】
【図１】本発明の実施の形態に係わる転がり軸受の概略構造を示す要部略縦断面である。
【図２】図１のシール部材のシール内径リップ（内当たりシールリップ）が内輪の内側傾斜面に接触した要部略縦断面図である。
【図３】図１のール部材のシール内径リップ（外当たりシールリップ）が内輪の外側傾斜面に接触した要部略縦断面図である。
【図４】単列深溝玉軸受を用いたカーエアコンコンプレッサーの要部略縦断面図である。
【符号の説明】
【００１３】
１０  転がり軸受                      １１  外輪
１２  内輪                            １４、１５  シール部材
１９、２１  シール溝                  ２０  シール外径リップ
２３、２８  シール内径リップ          ２６  ラビリンス
２９  単列深溝玉軸受
【図１】
2007146870.tif 000003
【図２】
2007146870.tif 000004
【図３】
2007146870.tif 000005
【図４】
2007146870.tif 000006